(57)【要約】【課題】  ばねヒンジ機構の機能と遮光板の要求とを同時に満たし、かつ、両者の欠点をきわめて簡単な構成で同時に解決できるばねヒンジ機構を提供する。【解決手段】  智３とテンプル５とをヒンジ４で連結し、ヒンジ４に弾性を付与したばねヒンジ機構において、レンズ２の両側に配置され、智部分からヒンジ部分を越えてテンプルまで伸びるプレート１１と、このプレート１１のテンプル５側に形成されたテンプル挿通孔１２及び智側に形成された智挿通孔１３とを有し、プレート１１を湾曲状に弾性変形させつつ、前記テンプル５及び智３をテンプル挿通孔１２及び智挿通孔１３に挿通させた。【選択図】  図１
2011090269.tif 000002
【特許請求の範囲】
【請求項１】
智とテンプルとをヒンジで連結し、前記ヒンジに弾性を付与したばねヒンジ機構において、
レンズの両側に配置され、智部分からヒンジ部分を越えてテンプルまで伸びるプレートと、
このプレートのテンプル側に形成されたテンプル挿通孔及び智側に形成された智挿通孔とを有し、
前記プレートを湾曲状に弾性変形させつつ、前記前記テンプル及び智を前記テンプル挿通孔及び前記智挿通孔に挿通させたこと、
を特徴とする眼鏡のばねヒンジ機構。
【請求項２】
前記プレートを予め曲面状又は球面状に形成し、
前記プレートを前記智及び前記テンプルよりも外側に装着する場合は、前記テンプル挿通孔と前記智挿通孔を接近させる方向に弾性変形させつつ前記前記テンプル及び智を前記テンプル挿通孔及び前記智挿通孔に挿通させるようにし、
前記プレートを前記智及び前記テンプルよりも内側に装着する場合は、前記テンプル挿通孔と前記智挿通孔を離間させる方向に弾性変形させつつ前記前記テンプル及び智を前記テンプル挿通孔及び前記智挿通孔に挿通させるようにしたこと、
を特徴とする請求項１に記載の眼鏡のばねヒンジ機構。
【請求項３】
前記プレートが偏光レンズ等の防眩レンズとして形成されていることを特徴とする請求項１又は２に記載の眼鏡のばねヒンジ機構。
【請求項４】
前記プレートの前端縁から前記智挿通孔に連通する切り込み又は前記プレートの後端縁から前記テンプル挿通孔に連通する切り込みを形成したことを特徴とする請求項１〜３のいずれかに記載の眼鏡のばねヒンジ機構。
【請求項５】
前記智挿通孔の内周縁の一部に、前記ヒンジ部分を乗り越えやすくするための折り曲げ部を形成したことを特徴とする請求項１〜４のいずれかに記載の眼鏡のばねヒンジ機構。
【発明の詳細な説明】
【技術分野】
【０００１】
本発明は、眼鏡のばねヒンジにかかり、特に、レンズの両側に配置されたサイドレンズとしての機能を有するばねヒンジ機構に関する。
【背景技術】
【０００２】
テンプルを一定角以上に開いたときに利用者の顔を挟みつける方向にテンプルに付勢力が作用し、発汗や激しい動きによる眼鏡のずり落ちを防止するばねヒンジ機構を備えた眼鏡が知られている（例えば、特許文献１，２，３参照）。
この種のばねヒンジを備えた眼鏡は、利用者の顔にフィットしてずれにくいことから、特にスポーツ競技者に多く愛用されている。
その多くは、例えば特許文献１，２，３に記載されているように、ヒンジの内部にばねを備えるもので、メーカーでの組み立ての際に組み付けられている。従って、後発的にばねヒンジ機能を眼鏡に備えさせようとすることは困難で、フレームを買い換えるか、メーカーに持ち込んで加工してもらうしかないのが現状である。
【０００３】
また、この種の眼鏡は、上述したようにスポーツ競技者に愛用されているが、特に、釣りや射撃、ゴルフ等の競技者においては、上記のばねヒンジ機構のほかに、レンズの横から入射する外部光の影響を可能な限り遮断したいという要望がある。このような要望に応えるため、特許文献４，５に記載されているような、レンズの両側に配置してテンプルに取り付ける遮光板が提案、市販されている。
これら遮光板は、テンプルに装着しやすくするために様々な工夫がなされているが、そのために構成や形状が複雑になって価格が高くなったり、重量が増加して、ばねヒンジ機構が付いていても眼鏡がずり落ちやすくなるという欠点がある。
【先行技術文献】
【特許文献】
【０００４】
【特許文献１】特開２００１−１４２０３２号公報
【特許文献２】特開平７−３０１７７３号公報
【特許文献３】特開２０００−１４７４３８号公報
【特許文献４】実開平６−５００３２号公報
【特許文献５】特開２００５−２９２７５０号公報
【発明の開示】
【発明が解決しようとする課題】
【０００５】
本発明は、上記の要求及び問題に鑑みてなされたもので、上記したばねヒンジ機構の機能と遮光板の要求とを同時に満たし、かつ、上記したような両者の欠点を、きわめて簡単な構成で同時に解決することのできるばねヒンジ機構の提供を目的とする。
【課題を解決するための手段】
【０００６】
本発明の目的を達成するために、請求項１に記載の発明は、智とテンプルとをヒンジで連結し、前記ヒンジに弾性を付与したばねヒンジ機構において、レンズの両側に配置され、智部分からヒンジ部分を越えてテンプルまで伸びるプレートと、このプレートのテンプル側に形成されたテンプル挿通孔及び智側に形成された智挿通孔とを有し、前記プレートを湾曲状に弾性変形させつつ、前記前記テンプル及び智を前記テンプル挿通孔及び前記智挿通孔に挿通させた構成としてある。
【０００７】
前記プレートは、智及びテンプルの外側に装着するようにしてもよいし、利用者が眼鏡を掛ける際に邪魔にならなければ、内側に装着するようにしてもよい。請求項２に記載するように、前記プレートを予め曲面状又は球面状に形成し、前記プレートを前記智及び前記テンプルよりも外側に装着する場合は、前記テンプル挿通孔と前記智挿通孔を接近させる方向に弾性変形させつつ前記前記テンプル及び智を前記テンプル挿通孔及び前記智挿通孔に挿通させるようにし、前記プレートを前記智及び前記テンプルよりも内側に装着する場合は、前記テンプル挿通孔と前記智挿通孔を離間させる方向に弾性変形させつつ前記前記テンプル及び智を前記テンプル挿通孔及び前記智挿通孔に挿通させるようにするとよい。
【０００８】
前記プレートは、透明又は半透明であってもよいし不透明であってもよい。また、請求項３に記載するように、前記プレートを偏光レンズ等の防眩レンズとして形成してもよい。
また、請求項４に記載するように、前記プレートの前端縁から前記智挿通孔に連通する切り込み又は前記プレートの後端縁から前記テンプル挿通孔に連通する切り込みを形成してもよいし、請求項５に記載するように、前記智挿通孔の内周縁の一部に、前記ヒンジ部分を乗り越えやすくするための折り曲げ部を形成してもよい。
【発明の効果】
【０００９】
本発明によれば、プレートを取り付けるだけで、通常の眼鏡に簡単にばねヒンジ機構を付加できるとともに、前記プレートがレンズの左右から入射する外部光を遮断又は緩和して、サイドカバー又はサイドレンズとしての機能も果たすことができる。プレートは樹脂等で形成すれば軽量にすることができ、弾性を調整することで、ばねヒンジとしての付勢力も調整することができる。
このように、本発明によれば、ばねヒンジ機構の機能と遮光板の要求とを同時に満たし、かつ、上記した両者の欠点をきわめて簡単な構成で同時に解決することができる。
また、プレートは左右のレンズの横から入射する外部光を遮断したり緩和したりすることができれば十分であるため、微少傷や若干の成形不良等のためにこれまでは廃棄処分されていたいわゆる不良品を有効に活用することができる。
【発明を実施するための最良の形態】
【００１０】
以下、本発明の眼鏡のばねヒンジ機構の好適な実施形態を、図面を参照しながら詳細に説明する。
図１は、本発明のばねヒンジ機構を備えた眼鏡の一実施形態にかかり、その全体構成を説明する斜視図、図２は、本発明のばねヒンジ機構に用いられるプレートの斜視図である。
図２に示すように、プレート１１は、薄板状に形成され、外部光を遮断する遮光性又は外部光を緩和する性質を有する部材で形成されている。プレート１１の材質は、紙や木材であってもよいが、弾性に優れる樹脂や金属で形成するのが好ましい。特に、軽量で加工性に優れ、かつ、遮光機能だけでなく、選択的に偏光機能や防眩機能を備えさせることのできる樹脂材であるのがより好ましい。
【００１１】
プレート１１の一方（前方）には智挿通孔１３が形成され、他方にはテンプル挿通孔１２が形成されている。また、前記一方には、智３が挿入される凹部１４が形成されている。
上記構成のサイドカバー１０は、左右二つ用意し、左右のテンプル５及び智３のそれぞれに装着する。
そして、前方の智挿通孔１３及び後方のテンプル挿通孔１２の順でテンプル５の先端に挿入し、ヒンジ４を乗り越えさせて智挿通孔１３を智３に位置させる。
プレート１１を予め曲面状又は球面状に形成しておくことで、智挿通孔１３及びテンプル挿通孔１２を智３及びテンプル５に通しやすくなる。
図３は、サイドカバー１０を装着したときの状態を示す智３，テンプル５，ヒンジ４及びサイドカバー１０の概略平面図である。
サイドカバー１０をテンプル５及び智３に装着する際には、智挿通孔１３及びテンプル挿通孔１２を互いに接近させる方向に付勢してプレート１１を湾曲させる。この状態で、智挿通孔１３及びテンプル挿通孔１２にテンプル５を通し、プレート１１を智３側にスライドさせる。智挿通孔１３をヒンジ４が通過し、凹部１４の底部に智３が突き当たったところが、この眼鏡におけるサイドカバー１０の装着位置である。この位置では、プレート１１を元に戻そうとする方向（図３中矢印で示す方向）に弾性力が作用し、従って、テンプル５には外側に拡開させようとする力が働く。これはばねヒンジと同じ作用に他ならない。すなわち、上記構成のサイドカバー１０は、ばねヒンジと同様の機能を有するわけである。
また、前記装着位置では、図１に示すように、智３が凹部１４の底部に突き当たった状態となっていて、プレート１１の前端がレンズ２よりも前方に位置する。そのため、レンズ２とプレート１１との間の隙間が無くなり、外部光の入射をより確実に遮断等することができる。
【００１２】
図４は、本発明のばねヒンジ機構の他の実施形態にかかり、サイドカバー１０′を装着したときの状態を示す智３，テンプル５，ヒンジ４及びサイドカバー１０′の概略平面図である。
先の実施形態では、智３及びテンプル５の外側に張り出すようにサイドカバー１０を装着しているが、この実施形態では、智３及びテンプル５の内側に張り出すようにサイドカバー１０′が装着されている。
この実施形態のサイドカバー１０′の基本構成は、先の実施形態のサイドカバー１０とほぼ同じであるが、プレート１１′を先の実施形態のプレート１１よりも大きな曲率半径で予め湾曲させておく。この実施形態においてサイドカバー１０′を智３及びテンプル５に装着する際には、智挿通孔１３及びテンプル挿通孔１２を互いに離間させる方向に付勢してプレート１１を湾曲させる。この状態で、先の実施形態と同様の手順でサイドカバー１０′を眼鏡に装着すると、プレート１１′を元に戻そうとする方向（図４中矢印で示す方向）に弾性力が作用し、テンプル５を外側に拡開させようとする力が働く。
【００１３】
図５は、本発明のばねヒンジ機構のさらに他の実施形態にかかり、プレート１１″を装着したときのヒンジ４部分の部分拡大断面図である。
この実施形態では、智挿通孔１３の内周縁のうち、智３側の内周縁を内側に折り曲げて折り曲げ部１３ａを形成している。このようにすることで、プレート１１″を智３及びテンプル５から取り外すべく、プレート１１″をテンプル５側にスライドさせたときに、折り曲げ部１３ａがヒンジ４に乗り上げ、スムースにヒンジ４が智挿通孔１３から脱出する。
【００１４】
図６は、本発明のばねヒンジ機構のさらに他の実施形態にかかり、サイドカバー１０′の斜視図である。
この実施形態では、プレート１１の前端縁から智挿通孔１３に連通する切り込み１２ａとプレート１１の後端縁からテンプル挿通孔１２に連通する切り込み１３ａとを形成している。先の実施形態では、智挿通孔１３及びテンプル挿通孔１２に、テンプル５の先端を挿入してプレート１１，１１′を智３側にスライドさせるようにしているが、この実施形態では、テンプル５の途中部位や智３に対して、切り込み１２ａ，１３ａを押し広げつつ差し込むことで、テンプル５及び智３の所望の位置に、直接プレート１１を取り付けることができる。
【００１５】
本発明の好適な実施形態について説明したが、本発明は上記の実施形態に限定されるものではない。
例えば、上記の説明では、プレート１１，１１′，１１″に智３を挿入するための凹部１４を形成しているが、凹部１４を形成しなくてもプレート１１，１１′，１１″で十分に遮光等を行うことができるときは、必ずしも凹部１４は形成する必要はない。
また、プレート１１，１１′，１１″としては、専用に作成された板状又はレンズ状部材を用いてもよいが、レンズ（特に樹脂レンズ）を用いてもよい。このようにすることで、微少傷や若干の成形不良等でこれまで廃棄されていたいわゆる不良品の有効活用を図ることができる。
【産業上の利用可能性】
【００１６】
本発明は、図示するようなハーフリム眼鏡に限らず、リムレス眼鏡やフルリム眼鏡に広く適用が可能で、普通眼鏡に限らず、サングラスや安全眼鏡等の他の眼鏡にも広く適用が可能である。
【図面の簡単な説明】
【００１７】
【図１】本発明のばねヒンジ機構を備えた眼鏡の一実施形態にかかり、その全体構成を説明する斜視図である。
【図２】本発明のばねヒンジ機構に用いられるプレートの斜視図である。
【図３】サイドカバーを装着したときの状態を示す智，テンプル，ヒンジ及びサイドカバーの概略平面図である。
【図４】本発明のばねヒンジ機構の他の実施形態にかかり、サイドカバーを装着したときの状態を示す智，テンプル，ヒンジ及びサイドカバーの概略平面図である。
【図５】本発明のばねヒンジ機構のさらに他の実施形態にかかり、プレートを装着したときのヒンジ部分の部分拡大断面図である。
【図６】本発明のばねヒンジ機構のさらに他の実施形態にかかり、サイドカバーの斜視図である。
【符号の説明】
【００１８】
１：フレーム
２：レンズ
３：智
４：ヒンジ
５：テンプル
１０：サイドカバー
１１，１１′，１１″：プレート
【図１】
2011090269.tif 000003
【図２】
2011090269.tif 000004
【図３】
2011090269.tif 000005
【図４】
2011090269.tif 000006
【図５】
2011090269.tif 000007
【図６】
2011090269.tif 000008